(57)【要約】【課題】ケーシングに対して着脱可能なフィルタの表面に付着した塵埃を除去する清掃機構を備えていても、熱交換器への塵埃の落下を抑制することのできる空調室内機の提供。【解決手段】空調室内機は、ケーシング内の所定位置に配置されるように装着されるフィルタ２５と、ブラシを含む清掃ユニット７３を有する清掃機構と、フィルタ２５の装着時にその上面の一部にフィルタ２５の端部を乗り上げさせることでフィルタ２５を所定位置へと導くガイド部材１４と、を備える。ガイド部材１４は、所定位置に配置されたフィルタ２５の後側端部２５ｂが乗り上がる部分を含むガイド部１４１と、ガイド部１４１近傍であって平面視においてフィルタ２５の後側端部２５ｂと重なっていない主部１４２と、を有する。そして、主部１４２の上面とフィルタ２５の後側端部２５ｂの上面との段差１４５が、ブラシの毛の長さよりも小さくなるように構成されている。【選択図】図７
2016118361.tif 000002
【特許請求の範囲】
【請求項１】
吸込口（２１）が形成されたケーシング（１１）と、
前記ケーシング内の所定位置に配置されるように装着され、前記吸込口から前記ケーシング内に吸い込まれた室内空気中の塵埃を捕集するためのフィルタ（２５）と、
前記フィルタの下方に配置される熱交換器（１３）と、
前記フィルタに沿って移動することで前記フィルタの表面に付着した塵埃を除去するブラシ（７３４，７４２）を含むユニット（７３）、を有する清掃機構（７０）と、
前記フィルタの装着方向に沿うように延びており、前記フィルタの装着時にその上面の一部に前記フィルタの端部（２５ｂ）を乗り上げさせることで前記フィルタを前記所定位置へと導くガイド部材（１４）と、
を備え、
前記ガイド部材は、前記所定位置に配置された前記フィルタの前記端部が乗り上がる部分を含むガイド部（１４１）と、前記ガイド部近傍であって平面視において前記フィルタの前記端部と重なっていない主部（１４２）と、を有し、
前記主部の上面と前記フィルタの前記端部の上面との段差（１４５）が、前記ブラシの毛の長さ（ｈ）よりも小さくなるように構成されている、
空調室内機（１００）。
【請求項２】
前記主部は、前記ガイド部との間に前記ガイド部材の上面の曲率が変わる変曲部（１４３）、を含み、
前記段差は、前記フィルタの前記端部の上面と前記変曲部の上面との間の距離であって、前記ユニットの移動方向に直交する方向に沿った距離である、
請求項１に記載の空調室内機。
【請求項３】
前記ガイド部の上面うちの前記前記所定位置に配置された前記フィルタの前記端部と平面視において重なる面（１４１ｏｆ１）は、前記変曲部の上面を仮想的に前記フィルタ側に向かって延ばした仮想延長面（ｐｆ）よりも下方に位置している、
請求項２に記載の空調室内機。
【請求項４】
前記清掃機構による前記フィルタの塵埃除去動作の開始時に、前記ブラシが前記主部側から前記段差を通過する、
請求項１から３のいずれか１項に記載の空調室内機。
【請求項５】
前記フィルタの前記端部近傍には、前記フィルタ側から前記主部側へと前記ユニットが移動する際に、前記ブラシが前記フィルタの表面に近づくように前記ブラシを移動させるブラシ誘導部（１９６）が設けられている、
請求項４に記載の空調室内機。
【請求項６】
前記清掃機構は、前記ケーシングに固定されており、前記ブラシによって除去された塵埃を溜める塵埃貯留部（７２）、を有する、
請求項１から５のいずれか１項に記載の空調室内機。
【発明の詳細な説明】
【技術分野】
【０００１】
本発明は、フィルタの表面に付着した塵埃を自動的に除去する機能を有する清掃機構を備える空調室内機に関する。
【背景技術】
【０００２】
従来より、フィルタの表面に付着した塵埃を自動的に除去する機能を有する清掃機構を備えた空調室内機がある。例えば、特許文献１（特開２００８−７５９０７号公報）に開示されている空調室内機の清掃機構では、フィルタ及びフィルタから塵埃を除去するブラシを有する塵埃除去部を移動させることで、フィルタから塵埃を除去している。より詳しくは、この空調室内機では、フィルタが上下に分割されており、清掃機構によるフィルタからの塵埃除去動作時には、まず、塵埃除去部が下側のフィルタの下端部から上端部を経て上側のフィルタの下端部まで移動し、その後、上側のフィルタが下側のフィルタの前方に移動することで、フィルタ全体から塵埃が除去されている。
【発明の概要】
【発明が解決しようとする課題】
【０００３】
ところで、空調室内機において筐体としてのケーシングに対してフィルタを着脱可能な構成とした場合、フィルタがケーシング内の所定位置からずれて装着されてしまうことで隙間が発生することがある。このような状態で清掃機構による塵埃除去動作が行われると、フィルタ等の振動により該隙間から塵埃がフィルタの下方に配置される熱交換器へと落下してしまうおそれがある。
【０００４】
そこで、本発明の課題は、ケーシングに対して着脱可能なフィルタの表面に付着した塵埃を除去する清掃機構を備えていても、熱交換器への塵埃の落下を抑制することのできる空調室内機を提供することにある。
【課題を解決するための手段】
【０００５】
本発明の第１観点に係る空調室内機は、ケーシングと、フィルタと、熱交換器と、清掃機構と、ガイド部材と、を備える。ケーシングには、吸込口が形成されている。フィルタは、ケーシング内の所定位置に配置されるように装着される。フィルタは、吸込口からケーシング内に吸い込まれた室内空気中の塵埃を捕集するためのものである。熱交換器は、フィルタの下方に配置される。清掃機構は、ブラシを含むユニットを有する。ブラシは、フィルタに沿って移動することでフィルタの表面に付着した塵埃を除去する。ガイド部材は、フィルタの装着方向に沿うように延びている。ガイド部材は、フィルタの装着時にその上面の一部にフィルタの端部を乗り上げさせることでフィルタを所定位置へと導く。ガイド部材は、ガイド部と、主部と、を有する。ガイド部は、所定位置に配置されたフィルタの端部が乗り上がる部分を含む。主部は、ガイド部近傍であって平面視においてフィルタの端部と重なっていない。そして、主部の上面とフィルタの端部の上面との段差が、ブラシの毛の長さよりも小さくなるように構成されている。
【０００６】
本発明の第１観点に係る空調室内機では、フィルタの装着時にフィルタを所定位置へと導くガイド部材があることで、フィルタがケーシングの所定位置からずれて配置されるおそれを低減することができる。さらに、この空調室内機では、ガイド部材の主部の上面とフィルタの端部の上面との段差がブラシの毛の長さよりも小さいことで、ブラシがフィルタの端部周辺をスムーズに移動しやすくなっている。このため、ブラシがフィルタの端部周辺を通過する際にフィルタの振動等によりフィルタやブラシから熱交換器へと塵埃が落下するおそれを低減することができる。
【０００７】
これによって、ケーシングに対して着脱可能なフィルタの表面に付着した塵埃を除去する清掃機構を備えていても、熱交換器への塵埃の落下を抑制することができる。
【０００８】
なお、ここでいうブラシの毛の長さとは、ブラシの毛が植設されている基部の面からブラシの毛の先端までの最短距離のことである。
【０００９】
本発明の第２観点に係る空調室内機は、第１観点の空調室内機において、主部は、ガイド部との間に、ガイド部材の上面の曲率が変わる変曲部を含む。そして、前記段差は、フィルタの端部の上面と変曲部の上面との間の距離であって、ユニットの移動方向に直交する方向に沿った距離である。この空調室内機では、変曲部においてガイド部材が曲がった構成になっている。
【００１０】
本発明の第３観点に係る空調室内機は、第２観点の空調室内機において、ガイド部の上面のうちの所定位置に配置されたフィルタの端部と平面視において重なる面は、変曲部の上面を仮想的にフィルタ側に向かった延ばした仮想延長面よりも下方に位置している。このため、この空調室内機では、フィルタの端部がガイド部材の上面へと乗り上げやすい構造になっている。
【００１１】
本発明の第４観点に係る空調室内機は、第１観点から第３観点のいずれかの空調室内機において、清掃機構によるフィルタの塵埃除去動作の開始時に、ブラシが主部側から段差を通過する。すなわち、この空調室内機では、塵埃除去動作の開始時にはフィルタから離れた位置よりブラシの移動が開始されるため、フィルタ全体から塵埃を除去することができる。
【００１２】
本発明の第５観点に係る空調室内機は、第４観点の空調室内機において、フィルタの端部近傍には、ブラシ誘導部が設けられている。ブラシ誘導部は、フィルタ側から主部側へとユニットが移動する際に、ブラシがフィルタの表面に近づくようにブラシを移動させる。すなわち、この空調室内機では、塵埃除去動作の開始時には、ブラシがフィルタの表面に近づいた状態で主部側から段差を通過してフィルタへと移動するため、フィルタの端部から塵埃を除去することができる。
【００１３】
本発明の第６観点に係る空調室内機は、第１観点から第５観点のいずれかの空調室内機において、清掃機構は、塵埃貯留部を有する。塵埃貯留部は、ケーシングに固定されている。塵埃貯留部は、ブラシによって除去された塵埃を溜める。この空調室内機では、塵埃を貯留する塵埃貯留部が移動しない構成であるため、塵埃貯留部のサイズを大きくしても、ユニットのサイズを小さくすることで、可動部品であるユニットのケーシング内における移動スペースの増加を抑制することができる。これにより、空調室内機の大型化を抑制することができる。
【発明の効果】
【００１４】
本発明の第１観点に係る空調室内機では、ケーシングに対して着脱可能なフィルタの表面に付着した塵埃を除去する清掃機構を備えていても、熱交換器への塵埃の落下を抑制することができる。
【００１５】
本発明の第２観点に係る空調室内機では、変曲部においてガイド部材が曲がった構成になっている。
【００１６】
本発明の第３観点に係る空調室内機では、フィルタの端部がガイド部材の上面へと乗り上げやすい構造になっている。
【００１７】
本発明の第４観点に係る空調室内機では、フィルタ全体から塵埃を除去することができる。
【００１８】
本発明の第５観点に係る空調室内機では、フィルタの端部から塵埃を除去することができる。
【００１９】
本発明の第６観点に係る空調室内機では、大型化を抑制することができる。
【図面の簡単な説明】
【００２０】
【図１】本発明の一実施形態に係る空調室内機の断面図。
【図２】本発明の一実施形態に係る空調室内機の断面図。
【図３】フレームに固定された保持枠にフィルタを設置した状態の斜視図。
【図４】ガイドフレームに設けられた移動経路を説明するための図。
【図５】フレームに固定された保持枠にフィルタを設置した状態の斜視図。
【図６】フレームに固定された保持枠にフィルタを設置した状態の斜視図。
【図７】フィルタの後側端部周辺の部分断面図。
【図８】清掃ユニットの斜視図。
【図９】清掃ユニットの断面図。
【図１０】清掃ユニットの断面図。
【図１１】清掃ユニット及びダストボックスの断面図。
【図１２】フィルタの前側端部における清掃ユニットの側面図。
【図１３】保持枠の前側端部における清掃ユニットの側面図。
【図１４】フィルタの後側端部近傍における清掃ユニットの側面図。
【図１５】ガイド部材上に位置する清掃ユニットの側面図。
【図１６】第１ブラシ及び第２ブラシとフィルタの表面との関係を説明するための図。
【図１７】フィルタの後側端部とガイド部材との位置関係を説明するための図。
【図１８】塵埃回収動作時の清掃ユニットとダストボックスとの位置関係を説明するための図。
【図１９】塵埃回収動作時の清掃ユニットとダストボックスとの位置関係を説明するための図。
【図２０】変形例Ｅに係る空調室内機の備えるガイド部材を説明するための図。
【発明を実施するための形態】
【００２１】
以下、本発明に係る空調室内機１００について、図面を参照しながら説明する。なお、以下の実施形態は、本発明の具体例であって、本発明の技術的範囲を限定するものではない。
【００２２】
（１）空調室内機１００の構成
図１は、本発明の一実施形態に係る空調室内機１００の断面図であって、清掃機構７０の備える清掃ユニット７３が初期位置にある状態を描いた図である。図２は、本発明の一実施形態に係る空調室内機１００の断面図であって、清掃機構７０の備える清掃ユニット７３が保持枠２５０の前側端部２５０ａにある状態を描いた図である。空調室内機１００は、室内の壁面等に取り付けられ、室外に設置されている室外機（図示せず）に冷媒配管（図示せず）を介して接続されている。
【００２３】
空調室内機１００は、室内を冷房する冷房運転及び室内を暖房する暖房運転を行うことができる。さらに、図１及び図２に示すように、空調室内機１００は、フィルタ２５を清掃するための清掃機構７０を備えており、フィルタ２５に対して清掃機構７０の清掃ユニット７３が移動することによって自動でフィルタ２５から塵埃を除去する自動清掃運転を行うこともできる。
【００２４】
（２）詳細構成
空調室内機１００は、主として、ケーシング１１と、室内熱交換器１３と、室内ファン１５と、フィルタ２５と、フレーム１９と、ガイド部材１４と、清掃機構７０とを備えている（図１及び図２参照）。
【００２５】
（２−１）ケーシング１１
ケーシング１１は、横方向（空調室内機１００の左右方向）に細長い箱状の形状を有している。ケーシング１１は、図１及び図２に示すように、天面板１１ａ、前面板１１ｂ及び背面板１１ｃによって立体空間を形成し、その立体空間内に室内熱交換器１３、室内ファン１５、フレーム１９、フィルタ２５、ガイド部材１４、底フレーム１７及び清掃機構７０が収納されている。
【００２６】
天面板１１ａは、ケーシング１１の天面を構成する。前面板１１ｂは、ケーシング１１の正面を構成する。また、前面板１１ｂは、その上端が天面板１１ａの一部分に回動自在に支持され、ヒンジ式に動作することができる。
【００２７】
背面板１１ｃは、ケーシング１１の背面を構成している。この背面板１１ｃが、室内の壁面に設置された取り付け板（図示せず）にビス止め等によって取り付けられることによって、空調室内機１００が室内の壁面に設置される。
【００２８】
ケーシング１１の天面板１１ａには、天面板１１ａの前側から後側にかけて天面吸込口２１が設けられている。この天面吸込口２１から天面吸込口２１近傍の室内空気が室内ファン１５の駆動によってケーシング１１内部へと取り込まれ、室内熱交換器１３の前側熱交換部１３ａ，１３ｂ及び後側熱交換部１３ｃそれぞれに送られる。
【００２９】
図１の破線の矢印Ａは、天面吸込口２１及び前側熱交換部１３ｂを介して室内ファン１５へと送られる室内空気の流れを表している。
【００３０】
ケーシング１１の下面は、底フレーム１７の底部１７ａによって構成されているが、該下面には、下面吸込口２２と、吹出口２３とが形成されている。下面吸込口２２は、吹出口２３よりも壁側に設けられており、吸込流路１６によってケーシング１１の内部と繋がっている。下面吸込口２２からは、下面吸込口２２近傍の室内空気が、室内ファン１５の駆動によってケーシング１１内部へと取り込まれ、吸込流路１６を通って室内熱交換器１３の後側熱交換部１３ｃへと送られる。
【００３１】
図１の破線の矢印Ｂは、下面吸込口２２から後側熱交換部１３ｃへと送られる室内空気の流れを表している。
【００３２】
吹出口２３は、下面吸込口２２よりも空調室内機１００の正面側に設けられており、吹出流路１８によってケーシング１１の内部と繋がっている。天面吸込口２１及び下面吸込口２２から吸い込まれ室内空気は、室内熱交換器１３にて熱交換された後、吹出流路１８を通って吹出口２３から室内へと吹き出される。
【００３３】
図１の破線の矢印Ｃは、吹出流路１８から吹出口２３を介して室内へと送られる空気の流れを表している。
【００３４】
吸込流路１６は、下面吸込口２２から底フレーム１７の流路形成壁１７ｂに沿って形成されている。そして、吹出流路１８は吸込流路１６と隣接して位置している。
【００３５】
なお、吹出口２３付近には、水平フラップ２３ａがケーシング１１に対して回動自在に取り付けられている。水平フラップ２３ａは、フラップ駆動用モータ（図示せず）によって回動し、空調室内機１００の運転状態に応じて吹出口２３を開閉する。更に、水平フラップ２３ａは、吹出口２３から吹き出された室内空気がユーザの所望する方向へと案内されるように、室内空気の吹き出し方向を変更する機能を有する。
【００３６】
（２−２）室内熱交換器１３
室内熱交換器１３は、複数のフィンと複数の伝熱管とで構成されている。室内熱交換器１３は、ケーシング１１内部において、底フレーム１７の一部分に取り付けられている。室内熱交換器１３は、空調室内機１００の運転状態に応じて蒸発器または凝縮器として機能し、冷媒と室内熱交換器１３を通過する空気との間で熱交換を行わせる。
【００３７】
室内熱交換器１３は、図１及び図２に示すように、側面視において両端が下方に向いて屈曲する略逆Ｖ字型の形状を有し、その下方に室内ファン１５が位置している。
【００３８】
（２−３）室内ファン１５
室内ファン１５は、ケーシング１１の内部に位置しており、空調室内機１００の長手方向（左右方向）に細長い略円筒形状のクロスフローファンである。室内ファン１５が稼働することによって、室内空気が天面吸込口２１及び下面吸込口２２それぞれから吸い込まれて室内熱交換器１３を通過した後に、吹出口２３から室内へと供給される（図１の破線の矢印Ａ，Ｂ，Ｃを参照）。
【００３９】
（２−４）底フレーム１７
底フレーム１７は、底部１７ａと流路形成壁１７ｂとで構成されている。底部１７ａは、ケーシング１１の下面の少なくとも一部を構成する要素であって、底フレーム１７のうちの空調室内機１００の外部に露出する部分である。
【００４０】
流路形成壁１７ｂは、底フレーム１７のうちの、ケーシング１１の内部に位置する部位である。流路形成壁１７ｂは、底部１７ａの一端から上方に延びており、且つ室内ファン１５の形状に沿って湾曲した形状を成している。
【００４１】
（２−５）フレーム１９
図３は、ケーシング１１及び底フレーム１７を取り外した状態の空調室内機１００の斜視図である。図４は、ガイドフレーム１９１を内側（図３に示す矢印ａ方向）から見た図である。なお、図３では、フィルタ２５の一部、及び室内ファン１５を省略して描いている。また、図４では、ダストボックス７２及び清掃ユニット７３が配置された状態を描いている。
【００４２】
フレーム１９は、図３に示すように、３つのガイドフレーム１９１，１９２，１９３と、各ガイドフレーム１９１，１９２，１９３の前後端部を連結する連結部材１９４と、を有する。ガイドフレーム１９１，１９２，１９３には、後述する清掃ユニット７３をフィルタ２５に沿って移動させるためのスリット状の移動経路１９５が設けられている（図４参照）。さらに、ガイドフレーム１９１，１９２，１９３には、清掃ユニット７３に後述する接触動作を行わせるための接触用ガイド部１９６が設けられている。接触用ガイド部１９６は、ここでは、空調室内機１００の正面視において左側に位置するガイドフレーム１９１及び右側に位置するガイドフレーム１９３では、内側面であって移動経路１９５の後側端部近傍に設けられており、空調室内機１００の正面視において中央に位置するガイドフレーム１９２では、両側面であって移動経路１９５の後側端部近傍に設けられている。また、接触用ガイド部１９６は、移動経路１９５の後側端部に向かうにつれて移動経路１９５と接触用ガイド部１９６との距離が徐々に小さくなるように構成された接触面１９７を含んでいる。
【００４３】
（２−６）フィルタ２５
図５及び図６は、フィルタ２５を装着した状態の保持枠２５０が固定されたフレーム１９の一部を斜め方向から見た図である。また、図５及び図６では、空調室内機１００の正面視において右側に位置するフィルタ２５のみが保持枠２５０に装着された状態を描いており、特に、図６では、フィルタ２５のフィルタ部２５１を省略して描いている。
【００４４】
フィルタ２５は、天面吸込口２１及び下面吸込口２２から吸い込まれた室内空気中の塵埃を捕集するためのものである。フィルタ２５は、ケーシング１１の天面板１１ａと室内熱交換器１３との間に配置されており、ケーシング１１の内部に着脱可能になっている。そして、フィルタ２５は、ケーシング１１の内部に装着されて固定されることで、前側熱交換部１３ａ，１３ｂ及び後側熱交換部１３ｃを覆う。言い換えると、室内熱交換器１３は、フィルタ２５の下方に配置されているといえる。
【００４５】
フィルタ２５は、その中央の部分がケーシング１１の天面板１１ａに沿って延びており、更にはその前後方向における前側端部２５ａ及び後側端部２５ｂが室内熱交換器１３の頂点１３ｄよりも下方に垂れ下がっている。すなわち、フィルタ２５は、室内熱交換器１３の上方を覆うような略逆Ｕ字形状を有している。そして、ここでは、図１及び図２に示すように、フィルタ２５は、その後側端部２５ｂが後側熱交換部１３ｃの上部から中央部にかけて覆う位置にまで達しており、その前側端部２５ａが前側熱交換部１３ｂ全てを覆い且つ前側熱交換部１３ａの上部から中央部にかけて覆う位置にまで達している。それゆえ、後側熱交換部１３ｃに対応するフィルタ２５の部分は、下面吸込口２２から吸い込まれた室内空気から塵埃を捕集することができる。また、前側熱交換部１３ａ，１３ｂに対応するフィルタ２５の部分は、天面吸込口２１から吸い込まれた室内空気から塵埃を捕集することができる。このように、フィルタ２５は、室内熱交換器１３の表面が室内空気中の塵埃によって汚染されることを防いでいる。
【００４６】
フィルタ２５は、長方形状を呈する平板状の部品であって、室内空気中の塵埃を捕集するフィルタ部２５１と、フィルタ部２５１を囲むように枠状に形成されているフィルタ枠２５２と、を有する（図５及び図６参照）。フィルタ部２５１は、例えば、樹脂製の糸で平織りまたは綾織された網より構成されている。フィルタ枠２５２は、フィルタ部２５１が所定のテンションを維持するようにフィルタ部２５１の周囲を保持している。
【００４７】
また、フィルタ２５は、フレーム１９に固定されている保持枠２５０に着脱自在に設けられている。保持枠２５０には、フィルタ２５の長手方向の両端部（ここでは、左右端部）を支持する支持溝（図示せず）が設けられている。また、支持溝の後側端部には、フィルタ２５が装着される際にフィルタ２５の装着方向先端側の端部となるフィルタ２５の後側端部２５ｂが当接する当接部（図示せず）が設けられている。ユーザは、フィルタ２５の後側端部２５ｂが保持枠２５０の当接部に当接するまで、フィルタ２５を保持枠２５０の支持溝に沿って移動させることで、室内熱交換器１３の上方を覆うようにフィルタ２５を装着することができる。
【００４８】
さらに、保持枠２５０には、清掃ユニット７３に後述する離反動作を行わせるための離反用ガイド部２５３が設けられている。離反用ガイド部２５３は、ここでは、保持枠２５０の前側端部２５０ａの左右両端にのみ設けられており、先端（ここでは、保持枠２５０の前側端部２５０ａ）に向かうにつれて斜め前方向に傾斜した傾斜面２５３ａを含んでいる（図５及び図６参照）。なお、保持枠２５０は、正面視において、左右方向に並ぶように、フレーム１９に２つ固定されている。そして、フィルタ２５は、フレーム１９に設置された状態で、正面視において、右側と左側とに並ぶように２つ設置される。
【００４９】
（２−７）ガイド部材１４
図７は、フィルタ２５の後側端部２５ｂとガイド部材１４との位置関係を説明するための図である。
【００５０】
ガイド部材１４は、空調室内機１００の長手方向に長い部品であって、本実施形態では長方形状を呈する平板状の部品である。ガイド部材１４は、フィルタ２５の装着時にフィルタ２５の端部（ここでは、フィルタ２５の後側端部２５ｂ）をその上面の一部に乗り上げさせることで、フィルタ２５を所定位置（ここでは、図７に示す位置）へと導くためのものである。ガイド部材１４は、フィルタ２５の後側端部２５ｂ近傍から後方に向かって延びるようにガイドフレーム１９１，１９２，１９３に固定されている。図７では、ガイド部材１４は、フィルタ２５の後側端部２５ｂの手前からフィルタ２５の装着方向（図７に示す矢印Ｚ方向）に沿って延びるように配置されている。
【００５１】
本実施形態のガイド部材１４は、所定位置に配置されたフィルタ２５の後側端部２５ｂが乗り上がる部分を含むガイド部１４１と、ガイド部１４１近傍であって平面視においてフィルタ２５の後側端部２５ｂと重なっていない主部１４２と、を主に有している。主部１４２は、ガイド部材１４の短手方向（ここでは、前後方向）において曲率が変わる変曲部１４３を含む。変曲部１４３は、主部１４２の一方の端部（ここでは、前方の端部）に位置しており、ガイド部１４１に隣接している。また、変曲部１４３の曲率は、主部１４２の変曲部１４３以外の部分及びガイド部１４１のそれぞれの曲率よりも小さくなるように構成されている。すなわち、変曲部１４３はガイド部材１４の曲り基点となっており、図７に示すように、ガイド部材１４は変曲部１４３を中心として略逆Ｖ字状に屈曲している。
【００５２】
また、ガイド部材１４の材料としては、各種金属や樹脂等の様々なものが採用され得る。本実施形態のガイド部材１４は平板状の部品であるため、例えば、上面へのフィルタ２５の後側端部２５ｂの乗り上げやすさを考慮して、加工が容易でありかつ表面の滑らかな板金がガイド部材１４として採用されてもよい。また、コスト面を考慮して、ガイド部材１４として樹脂製の平板部品が採用されてもよい。
【００５３】
（２−８）清掃機構７０
清掃機構７０は、清掃ユニット７３と、駆動機構７１と、塵埃貯留部としてのダストボックス７２と、を含んでいる。駆動機構７１は、清掃ユニット７３を所定の軌道上で往復移動させる。清掃ユニット７３は、フィルタ２５に付着した塵埃を除去する。ダストボックス７２には、清掃ユニット７３がフィルタ２５から除去した塵埃が溜められる。
【００５４】
清掃機構７０は、駆動機構７１によって清掃ユニット７３を所定の軌道に沿って往復移動させ、フィルタ２５に付着した塵埃を清掃ユニット７３によって除去する。また、清掃機構７０は、清掃ユニット７３の往復移動を利用して、清掃ユニット７３がフィルタ２５から除去した塵埃を、清掃ユニット７３から剥離させて回収し、ダストボックス７２へと溜める。
【００５５】
（３）清掃機構７０の詳細説明
（３−１）清掃ユニット７３
図８は、清掃ユニット７３の左側端部付近を斜め上から見た図である。図８（ａ）は、近接状態を採る清掃ユニット７３を描いており、図８（ｂ）は、離反状態を採る清掃ユニット７３を描いている。図９は、清掃ユニット７３を図８（ａ）の矢印ｂ−ｂで切断した断面を描いた図である。図１０は、清掃ユニット７３の断面図である。図１０（ａ）は、清掃ユニット７３を図８（ａ）の矢印ｃ−ｃで切断した断面を描いている。図１０（ｂ）は、清掃ユニット７３を図８（ｂ）の矢印ｄ−ｄで切断した断面を描いている。なお、図９では、フィルタ２５を挟んだ状態の清掃ユニット７３の断面を描いている。
【００５６】
清掃ユニット７３は、第１部材７３１と第２部材７４１とが組み合わされることで構成されている。また、清掃ユニット７３は、空調室内機１００の正面視において、右側と左側とに並ぶように２つ設けられており、各清掃ユニット７３が連結されている。
【００５７】
（３−１−１）第１部材７３１
第１部材７３１は、空調室内機１００の長手方向に沿った細長い形状を成している（図８参照）。第１部材７３１は、ローラ７３３と、第１ブラシ７３４と、を有する。
【００５８】
ローラ７３３は、第１部材７３１の長手方向の両端部（左右両端部）近傍に設けられている。ローラ７３３は、第１部材７３１の長手方向に延びる回転軸を中心として回転可能であり、ガイドフレーム１９１，１９２，１９３の移動経路１９５内に配置される。そして、ローラ７３３が移動経路１９５内の面に当接しながら移動経路１９５に沿って転がることで、第１部材７３１が移動経路１９５に沿った軌道を描きながら移動することになる。
【００５９】
第１ブラシ７３４は、第１部材７３１の長手方向の一方の端部近傍から他方の端部近傍まで、第１部材７３１の長手方向に沿って配置されている。ここでは、第１ブラシ７３４が平板状に形成されている。第１ブラシ７３４は、フィルタ２５の空気流れ下流側に配置されている。第１ブラシ７３４は、フィルタ２５の後面すなわちフィルタ２５の空気流れ下流側に位置する面（以下、下流側面２５ｆ１という）に付着している塵埃を除去するために設けられている。
【００６０】
第１ブラシ７３４は、例えば、樹脂製の平板状の第１基台７３４ａと、複数の線状の毛材７３４ｃと、を有する。毛材７３４ｃは、第１基台７３４ａの第１面７３４ｂに植設されており、図９では、毛材７３４ｃの延びる方向が前方を向くように設けられている。そして、第１ブラシ７３４の毛材７３４ｃは、フィルタ２５の下流側面２５ｆ１と接触する。よって、毛材７３４ｃは、フィルタ２５の表面に直接接触可能な長さとなるように第１ブラシ７３４が設計されている。なお、本実施形態では、第１ブラシ７３４には複数の線状の毛材７３４ｃが第１基台７３４ａに植毛されたものを利用しているが、これに限定されるものではなく、フィルタ２５の下流側面２５ｆ１から塵埃を除去する機能を有するものであれば適宜採用することができる。
【００６１】
また、第１部材７３１の長手方向の両端部（左右両端部）には、第２部材７４１に向かって延びる第１締結部７３５が立設されている。第１締結部７３５の上端部近傍には開口７３９が形成されている（図１０参照）。また、第１締結部７３５の上端部の内面（中央側の面）であって該開口７３９の縁部上方には、内側（中央側）に向かって突出する第１突起部７３６が設けられている。ここでは、第１突起部７３６は、その断面が２つの傾斜面７３６ａ，７３６ｂを有する三角形状を呈するように形成されている。
【００６２】
（３−１−２）第２部材７４１
第２部材７４１は、第１部材７３１と同様に、空調室内機１００の長手方向に沿った細長い形状を成している（図８参照）。第２部材７４１は、フィルタ２５の上流側面２５ｆ２に接触する第２ブラシ７４２を有する。
【００６３】
第２ブラシ７４２は、第２部材７４１の長手方向の一方の端部近傍から他方の端部近傍まで、第２部材７４１の長手方向に沿って配置されている。ここでは、第２ブラシ７４２が平板状に形成されている。第２ブラシ７４２は、フィルタ２５の空気流れ上流側に配置されている。第２ブラシ７４２は、フィルタ２５の上流側面２５ｆ２に付着している塵埃を除去するために設けられている。そして、ここでは、第１ブラシ７３４及び第２ブラシ７４２には、異なるタイプのブラシが採用されている。
【００６４】
第２ブラシ７４２は、例えば、樹脂製の第２基台７４２ａと、複数の毛７４２ｃと、を有する。複数の毛７４２ｃは、第２基台７４２ａの第２面７４２ｂに植設されており、図９では、毛７４２ｃの延びる方向が斜め後下方を向くように設けられている。複数の毛７４２ｃは、後述する近接状態のときに、フィルタ２５の表面に直接接触可能な長さとなるように第２ブラシ７４２が設計されている。
【００６５】
ここで、本実施形態の第２ブラシ７４２には、パイル織りされた織物基布を利用している。織物基布は、織物の表面を覆っているパイル糸が一定の角度で傾斜するように織られており、細かな塵埃を捕集することができる。よって、本実施形態の複数の毛７４２ｃとは、パイル織りされた織物基布の表面の短い繊維（パイル糸）のことである。なお、本実施形態では、第２ブラシ７４２にパイル織りされた織物基布を利用しているが、これに限定されるものではなく、フィルタ２５の上流側面２５ｆ２から塵埃を取り去る機能を有するものであれば適宜採用することができる。また、清掃ユニット７３では、第１基台７３４ａの第１面７３４ｂと第２基台７４２ａの第２面７４２ｂとは、フィルタ２５に直交する方向から視て、少なくともその一部が重なるように対向して位置している。そして、図９に示すように、第１ブラシ７３４と第２ブラシ７４２とは、フィルタ２５を挟んで向かい合うように配置されている。
【００６６】
第２部材７４１の長手方向の両端部（左右両端部）には、第１締結部７３５の延びる方向に沿って延びる第２締結部７４７が設けられている（図８（ａ）参照）。第２締結部７４７は、第１締結部７３５の外側に位置する外側壁部７４３と、第１締結部７３５の内側に位置する内側壁部７４４と、外側壁部７４３と内側壁部７４４とを一体化するための繋ぎ部７４５と、を有する。内側壁部７４４の外面（外側壁部７４３に近い側の面）には、外側（外側壁部７４３側）に向かって突出する第２突起部７４６が設けられている。ここでは、第２突起部７４６は、その断面形状が１つの傾斜面７４６ａを有する三角形状を呈するように形成されている。繋ぎ部７４５は、第１締結部７３５の開口７３９を貫通するように配置されており、内側壁部７４４において第２突起部７４６よりも下方の部分と外側壁部７４３とを接続している。
【００６７】
（３−１−３）近接状態及び離反状態
清掃ユニット７３は、第１ブラシ７３４と第２ブラシ７４２とが近接している近接状態（図８（ａ）参照）と、第１ブラシ７３４と第２ブラシ７４２とが離反している離反状態（図８（ｂ）参照）と、を採る。
【００６８】
近接状態では、図１０（ａ）に示すように、第１突起部７３６の傾斜面７３６ａと第２突起部７４６の傾斜面７４６ａとが当接しており、繋ぎ部７４５の下面７４５ａと開口７３９下部を規定する面７３９ａとが近接又は一部当接している。一方で、離反状態では、図１０（ｂ）に示すように、第１突起部７３６の傾斜面７３６ｂと第２突起部７４６の下面７４６ｂとが近接又は一部当接しており、第１突起部７３６の傾斜面７３６ａと繋ぎ部７４５の上面７４５ｂとが近接又は一部当接している。
【００６９】
なお、清掃ユニット７３における離反状態と近接状態との切り替の態様がよりクリアになるように、例えば、第２部材７４１において図１０（ａ）に示す空間Ｓに、内側壁部７４４を第１締結部７３５に向かって付勢するバネ等の付勢部材が配設されていてもよい。
【００７０】
（３−２）駆動機構７１
駆動機構７１は、清掃ユニット７３を、フィルタ２５の上流側面２５ｆ２及び下流側面２５ｆ１に沿うように、移動経路１９５内の一方の端部と他方の端部との間を往復して移動させる。駆動機構７１は、例えば、図３に示すように、駆動モータ７４と、駆動モータ７４の回転力を清掃ユニット７３に伝達する駆動ベルト７５とを有している。
【００７１】
（３−２−１）駆動モータ７４
駆動モータ７４は、ガイドフレーム１９１，１９３の外側面に設けられており、専用のギアケース内に収納されている。駆動モータ７４は、１又は複数のギアを介して駆動ベルト７５近傍に位置するピニオンギア（図示せず）を回転させる。
【００７２】
（３−２−２）駆動ベルト７５
駆動ベルト７５は、ガイドフレーム１９１，１９３の前側端部に設けられた前側プーリ７５ａと、ガイドフレーム１９１，１９３の後側端部に設けられた後側プーリ（図示せず）との間に掛け回された環状のベルトである。駆動ベルト７５の外面には、ピニオンギアと噛み合うラックギア（図示せず）が設けられており、駆動モータ７４が駆動することで、ピニオンギアが回転し、駆動ベルト７５が回転可能な構成になっている。
【００７３】
駆動ベルト７５には、第１部材７３１の長手方向の一方の端部にある連結部７３８が固定されている。具体的には、空調室内機１００の正面視において、左側の清掃ユニット７３の第１部材７３１の有する２つの連結部７３８では左側に位置する連結部７３８と駆動ベルト７５とが固定されており、右側の清掃ユニット７３の第１部材７３１の有する２つの連結部７３８では右側に位置する連結部７３８と駆動ベルト７５とが固定されている。また、各清掃ユニット７３において駆動ベルト７５が固定されていない側の各連結部７３８は、各連結部７３８同士で連結されることで、各清掃ユニット７３が一体化されている。これにより、駆動ベルト７５が回転することで、清掃ユニット７３がガイドフレーム１９１，１９２，１９３の移動経路１９５に沿って図４に示す矢印Ｘ、Ｙ方向に往復移動する。
【００７４】
（３−３）ダストボックス７２
図１１は、保持枠２５０の前側端部２５０ａに位置した状態の清掃ユニット７３及びダストボックス７２の断面図である。なお、図１１では、保持枠２５０を省略して描いている。
【００７５】
ダストボックス７２は、清掃ユニット７３とは別体として、ケーシング１１の所定位置に固定される。ここでは、ダストボックス７２は、清掃ユニット７３の移動方向（第１ブラシ７３４及び第２ブラシ７４２の移動方向）の延長線上に配置されている。より詳しくは、ダストボックス７２は、ケーシング１１において保持枠２５０の前側端部２５０ａよりも下方に、すなわち、フィルタ２５の前側端部２５ａの下方に固定されている。
【００７６】
ここでは、ダストボックス７２内には、第１ブラシ７３４及び第２ブラシ７４２によって除去されたフィルタ２５の塵埃が溜められる。そして、ダストボックス７２は、フレーム１９に対し着脱可能に取り付けられている。このため、ユーザは、ダストボックス７２をフレーム１９及びケーシング１１から取り外して、ダストボックス７２内に溜まった塵埃を容易に処理することができる。また、ダストボックス７２は、主として、本体７２１と蓋７２２とを有する。
【００７７】
（３−３−１）本体７２１
本体７２１は、空調室内機１００の長手方向に沿った細長い部材である（図３参照）。本体７２１は、図１１に示すように、上方に開口した箱状を呈している。また、本体７２１は、清掃ユニット７３の有するブラシ７３４，７４２に付着している塵埃、すなわちブラシ７３４，７４２が保持している塵埃を剥離させて回収するための塵埃回収ブラシとしての剥離ブラシ７２５，７２６を有している。
【００７８】
剥離ブラシ７２５，７２６は、本体７２１の長手方向に沿った細長い部材であって、本実施形態では平板状に形成されている。剥離ブラシ７２５，７２６は、本体７２１の長手方向の一方の端部近傍から他方の端部近傍まで、本体７２１の長手方向に直交する短手方向の中央部分に配置されている。そして、剥離ブラシ７２５，７２６は、ブラシ７３４，７４２の移動方向の延長線上に配置されている。したがって、清掃ユニット７３が、フィルタ２５の表面に付着した塵埃を除去するための移動（ここでは、往路移動）をそのまま続けると、ブラシ７３４，７４２が保持している塵埃を剥離させて回収することができる。なお、本実施形態の剥離ブラシ７２５，７２６は、本体７２１の開口７２１ａ面よりも上方に突出して設けられている。
【００７９】
剥離ブラシ７２５，７２６は、ブラシ７３４，７４２が保持している塵埃を掻き取って受け取ることでブラシ７３４，７４２から塵埃を剥離させ、ブラシ７３４，７４２と剥離ブラシ７２５，７２６との摺接を利用して剥離ブラシ７２５，７２６がブラシ７３４，７４２から受け取った塵埃を集めながら回収し本体７２１内部へと落とす。このような機能を持たせるため、剥離ブラシ７２５，７２６の毛は、剥離ブラシ７２５，７２６の近傍に位置した状態のブラシ７３４，７４２に逆らう方向に向かって延びている。なお、本実施形態のブラシ７３４，７４２は剥離ブラシ７２５，７２６に対して往復移動するため、剥離ブラシ７２５，７２６の毛は、ブラシ７３４，７４２の一方の移動時（本実施形態では、往路移動時）のブラシ７３４，７４２に逆らう方向に延びている。
【００８０】
また、本実施形態では、剥離ブラシ７２５，７２６には、第１ブラシ７３４に保持されている塵埃を剥離させて回収するための第１剥離ブラシ７２５と、第２ブラシ７４２に保持されている塵埃を剥離させて回収するための第２剥離ブラシ７２６と、が含まれる。そして、図１１では、第１剥離ブラシ７２５の毛は、基台７２７の後面から斜め後上方に延びるように設けられている。また、図１１では、第２剥離ブラシ７２６の毛は、基台７２７の前面から斜め前上方に延びるように設けられている。なお、剥離ブラシ７２５，７２６には、例えば、基台７２７に線状の毛材を植毛したものの他、基台７２７にパイル織りされた織物基布を貼り付けたもの等、ブラシ７３４，７４２から塵埃を剥離させて回収することのできるものが適宜採用される。また、清掃ユニット７３の移動方向に平行な方向の剥離ブラシ７２５，７２６の寸法（図１１の状態での上下寸法）は、第１ブラシ７３４及び第２ブラシ７４２の該方向の寸法に応じて、第１ブラシ７３４及び第２ブラシ７４２が保持している塵埃をより確実に剥離させて回収できるように適宜設計される。ここで、第１ブラシ７３４及び第２ブラシ７４２に塵埃が残らないように第１ブラシ７３４及び第２ブラシ７４２から塵埃を剥離させて回収するためには剥離ブラシ７２５，７２６の該寸法が１ｍｍ〜１０ｍｍの範囲内にあることが好ましく、加えて清掃機構７０の大型化を抑制するためには該寸法が１ｍｍ〜５ｍｍの範囲内にあることが好ましい。なお、本実施形態では、傾斜した状態の剥離ブラシ７２５，７２６の該寸法を２ｍｍ前後に設定している。
【００８１】
（３−３−２）蓋７２２
蓋７２２は、空調室内機１００の長手方向に沿った細長い板状の部材であって、本体７２１の開口７２１ａを覆うことができる。本実施形態では、蓋７２２は、剥離ブラシ７２５，７２６を中心として、前後に分かれている。具体的には、剥離ブラシ７２５，７２６よりも後側すなわち開口７２１ａのうちの後部を主として覆う第１蓋部７２３と、第１蓋部７２３と隣接しており剥離ブラシ７２５，７２６よりも前側すなわち開口７２１ａのうちの前部を主として覆う第２蓋部７２４と、を有している。
【００８２】
また、蓋７２２は、本体７２１の開口７２１ａを開閉できるように設けられている。例えば、蓋７２２の一部が回動自在に支持されており、ヒンジ式に動作することで、蓋７２２が本体７２１の開口７２１ａを開閉可能になっていてもよい。本実施形態では、図１１に示すように、第１蓋部７２３の長手方向に直交する短手方向の端部のうちの後側端部と、第２蓋部７２４の長手方向に直交する短手方向の端部のうちの前側端部と、が回動自在に支持されている。そして、第１蓋部７２３及び第２蓋部７２４は、バネ部材等の図示しない付勢部材により、本体７２１の開口７２１ａを塞ぐ方向に付勢されている。これにより、第１蓋部７２３及び第２蓋部７２４は、本体７２１の開口７２１ａを閉じた図１１に示す姿勢を保つことができる。
【００８３】
（４）第１ブラシ７３４と第２ブラシ７４２との対比
図１２は、フィルタ２５の前側端部２５ａに位置する清掃ユニット７３を側面から見た図である。図１３は、フィルタ２５の前側端部２５ａよりも下方に位置する清掃ユニット７３を側面から見た図であって、図１２の清掃ユニット７３が矢印Ｘ方向にさらに移動した状態を描いている。図１４は、フィルタ２５の後側端部２５ｂ近傍に位置する清掃ユニット７３を側面から見た図である。図１５は、フィルタ２５の後側端部２５ｂよりも後方に位置する清掃ユニット７３を側面から見た図であって、図１４の清掃ユニット７３が矢印Ｙ方向にさらに移動した状態を描いている。
【００８４】
（４−１）構成及び動作
第１ブラシ７３４は、フィルタ２５の空気流れ下流側に配置されており、本実施形態では、清掃ユニット７３のフィルタ２５に対する往復移動動作時には常に、すなわち清掃ユニット７３の往路移動動作時及び復路移動動作時共に、毛材７３４ｃの毛先がフィルタ２５の下流側面２５ｆ１に接触している。これに対して、第２ブラシ７４２は、フィルタ２５の空気流れ上流側に配置されており、本実施形態では、清掃ユニット７３のフィルタ２５に対する往復移動動作時において、一方向移動動作時（ここでは、清掃ユニット７３の往路移動動作時）には、毛７４２ｃ（織物基布のパイル糸）がフィルタ２５の上流側面２５ｆ２に接触しており、他方向移動動作時（ここでは、清掃ユニット７３の復路移動動作時）には、毛７４２ｃがフィルタ２５の上流側面２５ｆ２には接触していない。
【００８５】
また、第１ブラシ７３４を有する第１部材７３１及び第２ブラシ７４２を有する第２部材７４１のうちの少なくとも一方の部材が、フィルタ２５の表面（上流側面２５ｆ２及び下流側面２５ｆ１）に交差する方向に直線的に移動してフィルタ２５の表面から離反する離反動作、及び、離反動作時に移動した方向とは反対方向に直線的に移動してフィルタ２５の表面に接触する接触動作、を行う。これにより、移動する部材全体がフィルタ２５の表面から離れたり近づいたりするため、第１ブラシ７３４及び／又は第２ブラシ７４２とフィルタ２５の表面との距離が一律に変化することになる。
【００８６】
ここでは、第２部材７４１がフィルタ２５の表面から離反する離反動作が行われる。離反動作では、第２ブラシ７４２の毛先とフィルタ２５の上流側面２５ｆ２との間に隙間が生じる位置まで第２部材７４１が第１部材７３１に対して移動する。なお、離反動作の際、第１部材７３１のフィルタ２５の表面に対する距離は変わらない。離反動作が行われることで、清掃ユニット７３が離反状態を採ることになる。離反状態を採る清掃ユニット７３がフィルタ２５に対して移動する場合、第１ブラシ７３４の毛先はフィルタ２５の下流側面２５ｆ１に接触した状態で移動することになり、第２ブラシ７４２の毛先はフィルタ２５の上流側面２５ｆ２に接触していない状態で移動することになる。
【００８７】
また、ここでは、第２部材７４１がフィルタ２５の表面に接触する接触動作が行われる。接触動作では、第２ブラシ７４２の毛先とフィルタ２５の上流側面２５ｆ２との間に隙間が生じない位置まで第２部材７４１が第１部材７３１に対して移動する。なお、接触動作の際、第１部材７３１のフィルタ２５の表面に対する距離は変わらない。接触動作が行われることで、清掃ユニット７３が近接状態を採ることになる。近接状態を採る清掃ユニット７３がフィルタ２５に対して移動する場合、第１ブラシ７３４の毛先はフィルタ２５の下流側面２５ｆ１に接触した状態で移動することになり、第２ブラシ７４２の毛先はフィルタ２５の上流側面２５ｆ２に接触した状態で移動することになる。
【００８８】
なお、ここでは、清掃ユニット７３において、離反動作は往路移動動作の最後に行われ、接触動作は復路移動動作の最後に行われる。すなわち、離反動作及び接触動作は、いずれもフィルタ２５の表面に沿った移動に応じて行われる。さらに、ここでは、清掃ユニット７３の離反動作は、第２部材７４１が保持枠２５０に設けられた離反用ガイド部２５３に導かれて移動することで行われる。より詳しくは、図１２に示すように、保持枠２５０の前側端部２５０ａに設けられた離反用ガイド部２５３の傾斜面２５３ａと、第２部材７４１の長手方向に交差する方向の短手方向の両端部のうちの図１２において下方に位置する側の端部７４１ａの面７４１ｆとが当接した状態で清掃ユニット７３が矢印Ｘ方向に移動することで、図１３に示すように、第２部材７４１がフィルタ２５の上流側面２５ｆ２に交差する方向であって第１部材７３１から離れる方向（図１３では、前方）へと移動する。なお、ここでは、第２部材７４１は、離反用ガイド部２５３の傾斜面２５３ａに沿って移動するため、フィルタ２５の上流側面２５ｆ２に交差する方向へと徐々に移動することになる。また、ここでは、清掃ユニット７３の接触動作は、第２部材７４１がガイドフレーム１９１，１９２，１９３に設けられた接触用ガイド部１９６に導かれて移動することで行われる。より詳しくは、図１４に示すように、ガイドフレーム１９１，１９２，１９３において移動経路１９５の後側端部近傍に設けられた接触用ガイド部１９６の接触面１９７と第２部材７４１の外側壁部７４３の上面７４３ａとが当接した状態で清掃ユニット７３が矢印Ｙ方向に移動することで、図１５に示すように、第２部材７４１がフィルタ２５の上流側面２５ｆ２に交差する方向（ここでは、直交する方向）であって第１部材７３１に向かう方向（図１５では、斜め前下方）へと移動する。
【００８９】
（４−２）フィルタ２５との接触角度
図１６は、第１ブラシ７３４及び第２ブラシ７４２とフィルタ２５の表面との関係を説明するための図である。図１６に示すように、第２ブラシ７４２の毛７４２ｃがフィルタ２５の上流側面２５ｆ２に向かって延びる方向と、フィルタ２５の上流側面２５ｆ２とによって形成される角度である第２角度θ２は、９０度より小さい角度である。したがって、第２ブラシ７４２の毛７４２ｃの延びる向きは、フィルタ２５の上流側面２５ｆ２に対して傾斜している、いわゆる傾斜ブラシといえる。なお、第２角度θ２は、第２ブラシ７４２がフィルタ２５の上流側面２５ｆ２から塵埃を取り除く機能を発揮する清掃ユニット７３の移動動作時（ここでは、清掃ユニット７３の往路移動動作時）に、第２ブラシ７４２の毛７４２ｃがフィルタ２５の上流側面２５ｆ２に向かって延びる方向と、フィルタ２５の上流側面２５ｆ２において第２ブラシ７４２によって塵埃が取り除かれた後の部分であって第２ブラシ７４２の毛７４２ｃの接触部分近傍の部分と、によって形成される角度である。ここでは、第２角度θ２が鋭角であるため、清掃ユニット７３の往路移動動作時には、第２ブラシ７４２の毛７４２ｃが、清掃ユニット７３の移動方向に逆らう方向を向くようにフィルタ２５の上流側面２５ｆ２に対して傾斜している。なお、第２角度θ２は０〜９０度の角度範囲内にあればよく、本実施形態では、第２角度θ２が約４０度となるように第２ブラシ７４２が設計されている。
【００９０】
これに対して、図１３に示すように、第１ブラシ７３４の毛材７３４ｃがフィルタ２５の下流側面２５ｆ１に向かって延びる方向と、フィルタ２５の下流側面２５ｆ１とによって形成される角度である第１角度θ１は、第２角度θ２よりも大きくなるように設計されている。そして、本実施形態では、第１ブラシ７３４は、毛材７３４ｃがフィルタ２５の下流側面２５ｆ１に対して直交する方向に沿って延びるように構成された、いわゆる直毛ブラシといえる。なお、ここでいう、毛材７３４ｃがフィルタ２５の下流側面２５ｆ１に対して直交する方向に沿って延びるように構成されているとは、フィルタ２５の下流側面２５ｆ１に対して第１ブラシ７３４の毛材７３４ｃの延びる方向が全く傾斜していない状態であるものの他、フィルタ２５の下流側面２５ｆ１に対して±１５度程度傾いているものまで含まれる。そして、本実施形態では、第１角度θ１が約９０度となるように第１ブラシ７３４が設計されている。
【００９１】
（４−３）毛足
図１７は、フィルタ２５の塵埃除去動作開始時の第２ブラシ７４２の概念図である。
【００９２】
第１ブラシ７３４では、第１基台７３４ａに樹脂製の毛材７３４ｃが植え込まれており、毛材７３４ｃの毛足は比較的長い。これに対して、第２ブラシ７４２は、第２基台７４２ａの上に織物基布が貼り付けられることで構成されており、第２ブラシ７４２の織物基布の表面は、第１ブラシ７３４の毛材７３４ｃに比べて短い毛７４２ｃ（パイル糸）で覆われている。
【００９３】
そして、本実施形態では、図１７に示すように、第２ブラシ７４２の毛７４２ｃの高さｈ（ここでは、第２基台７４２ａの第２面７４２ｂから毛７４２ｃの先端までの最短距離）が、ガイド部材１４の主部１４２の上面と所定位置に配置されたフィルタ２５の後側端部２５ｂの上面２５ｏｆとの段差１４５よりも大きくなるように、フィルタ２５、ガイド部材１４及び第２ブラシ７４２がそれぞれ構成されている。より詳しくは、段差１４５とは、所定位置に配置されたフィルタ２５の後側端部２５ｂの上面２５ｏｆと変曲部１４３の上面１４３ｏｆとの間の距離であって、清掃ユニット７３の移動方向に直交する方向に沿った距離であり、この段差１４５が、第２ブラシ７４２の毛７４２ｃの高さｈよりも小さくなっている。また、図１７に示すように、ガイド部材１４のガイド部１４１の上面のうちの所定位置に配置されたフィルタ２５の後側端部２５ｂと平面視において重なっている面１４１ｏｆ１やガイド部１４１の上面のうちの所定位置に配置されたフィルタ２５の後側端部２５ｂと平面視において重なっていない面１４１ｏｆ２は、変曲部１４３の上面１４３ｏｆを仮想的にフィルタ２５側に向かって延ばした仮想延長面ｐｆよりも下方に位置している。そして、清掃機構７０による塵埃除去動作の開始時には、清掃ユニット７３の第２ブラシ７４２がガイド部材１４の主部１４２側から段差１４５を通過することになる。
【００９４】
（５）清掃機構７０の動作
図１８及び図１９は、塵埃回収動作時の清掃ユニット７３とダストボックス７２との位置関係を示す概念図である。
【００９５】
空調室内機１００は、ケーシング１１内に清掃機構７０の動作を制御する制御部（図示せず）を内蔵している。制御部は、空調室内機１００の運転時間をカウントしており、前回の自動清掃運転からの累積運転時間が所定時間（例えば、２４時間）に到達したときに、自動清掃運転を行う。自動清掃運転では、清掃ユニット７３を所定回数（例えば、１回）だけ固定されているフィルタ２５に対して往復移動させる往路移動動作及び復路移動動作の他に、清掃ユニット７３の往復移動を利用してブラシ７３４，７４２が保持している塵埃を剥離させて回収する塵埃回収動作が行われる。次に、清掃機構７０の各動作について説明する。
【００９６】
（５−１）往路移動動作
空調室内機１００の運転停止時や通常運転（暖房運転や冷房運転）時には、清掃ユニット７３は、図７に示すように、フィルタ２５の後側端部２５ｂよりも背面側のガイド部材１４の主部１４２に位置しており、ここが清掃運転開始時の初期位置となっている。このため、清掃ユニット７３が初期位置にある場合、第１ブラシ７３４及び第２ブラシ７４２はフィルタ２５の後側端部２５ｂよりも背面側に位置しており、かつ清掃ユニット７３がフィルタ２５とは重ならないようになっている。さらに、清掃ユニット７３が初期位置にある場合、清掃ユニット７３は第１部材７３１と第２部材７４１とが近接した近接状態を採っている。したがって、本実施形態では、清掃機構７０による清掃運転の開始とほぼ同時にフィルタ２５の塵埃除去動作が開始されることになる。
【００９７】
清掃運転が開始されると、まず、近接状態を採る清掃ユニット７３が、フィルタ２５に対して移動する往路移動動作（矢印Ｘ方向への移動動作）が行われる。往路移動動作では、初期位置にある清掃ユニット７３が、フィルタ２５の後側端部２５ｂを通過し、フィルタ２５の前側端部２５ａの下方まで移動する。ここで、清掃ユニット７３の第２ブラシ７４２は、初期位置からフィルタ２５の後側端部２５ｂへと至る前に、ガイド部材１４の主部１４２（変曲部１４３）の上面とフィルタ２５の後側端部２５ｂの上面２５ｏｆとの間の段差１４５を通過する。そして、往路移動動作では、第１ブラシ７３４の毛材７３４ｃがフィルタ２５の下流側面２５ｆ１に接触して、下流側面２５ｆ１に付着している塵埃を上流側面２５ｆ２へと押し出す。一方で、第２ブラシ７４２の毛７４２ｃ（織物基布のパイル糸）がフィルタ２５の上流側面２５ｆ２に接触して、フィルタ２５の上流側面２５ｆ２に付着している塵埃を捕獲する。なお、第２ブラシ７４２の毛７４２ｃは、清掃ユニット７３の移動方向に逆らう向きに傾斜しているので、毛７４２ｃがフィルタ２５の上流側面２５ｆ２に付着した塵埃を取り除き、毛７４２ｃの先から根元へと溜め込む。
【００９８】
そして、清掃ユニット７３がフィルタ２５の前側端部２５ａまで移動すると、離反用ガイド部２５３の傾斜面２５３ａに沿って第２部材７４１が前方に押し出されることで、第１締結部７３５の第１突起部７３６と第２締結部７４７の第２突起部７４６とがそれぞれ相手側の傾斜面７３６ａ，７４６ａに沿って移動し、第２突起部７４６が第１突起部７３６を乗り越える。これにより、第１突起部７３６が第２突起部７４６及び繋ぎ部７４５によって挟まれて係合した状態になり、第１部材７３１に対する第２部材７４１の位置が離反状態で固定される。近接状態から離反状態に切り替わった清掃ユニット７３は、往路の終点である保持枠２５０の前側端部２５０ａまで移動する。これにより、清掃ユニット７３の往路移動動作が終了する。
【００９９】
（５−２）塵埃回収動作
保持枠２５０の前側端部２５０ａまで移動した清掃ユニット７３は、離反状態を採った状態のまま塵埃回収動作を行う。塵埃回収動作では、剥離ブラシ７２５，７２６の近傍で清掃ユニット７３が複数回往復移動される。ここでは、第１ブラシ７３４及び第２ブラシ７４２が第１剥離ブラシ７２５及び第２剥離ブラシ７２６に対して直線に沿った軌道を描くように複数回（例えば、３回）往復移動する。ここでいう直線に沿った軌道とは、直線に対して全く湾曲していない軌道であってもよく、大きな曲線の軌道であってもよい。
【０１００】
なお、本実施形態では、清掃ユニット７３が剥離ブラシ７２５，７２６近傍において鉛直方向に対して平行に移動するため、第１ブラシ７３４及び第２ブラシ７４２は第１剥離ブラシ７２５及び第２剥離ブラシ７２６に対して上下方向に延びる直線に沿った軌道を描く。このため、第１ブラシ７３４及び第２ブラシ７４２と第１剥離ブラシ７２５及び第２剥離ブラシ７２６とは相対的にスライド移動することになる。
【０１０１】
また、塵埃回収動作では、図１８及び図１９に示すように、第１ブラシ７３４及び第２ブラシ７４２は、第１剥離ブラシ７２５及び第２剥離ブラシ７２６を跨ぐように第１剥離ブラシ７２５及び第２剥離ブラシ７２６の移動方向に平行な方向の幅よりも長い距離を往復移動する。そして、図１９に示すように、塵埃回収動作時の往路移動では、清掃ユニット７３は、保持枠２５０の前側端部２５０ａからダストボックス７２の内部まで移動する。なお、塵埃回収動作時の清掃ユニット７３の往路移動の際には、第１剥離ブラシ７２５及び第２ブラシ７４２が清掃ユニット７３の移動方向に逆らう向きに傾斜しているため、第１ブラシ７３４が第１剥離ブラシ７２５に摺接しながら移動することで第１ブラシ７３４が保持している塵埃が第１剥離ブラシ７２５によって掻き取られ、第２ブラシ７４２が第２剥離ブラシ７２６に摺接しながら移動することで第２ブラシ７４２が保持している塵埃が第２剥離ブラシ７２６によって掻き取られる。これにより、第１ブラシ７３４及び第２ブラシ７４２が保持している塵埃が第１ブラシ７３４及び第２ブラシ７４２から剥離される。第１ブラシ７３４及び第２ブラシ７４２から剥離された塵埃は、第１剥離ブラシ７２５及び第２剥離ブラシ７２６の主に根元に絡みついて第１剥離ブラシ７２５及び第２剥離ブラシ７２６が受け取ることになる。また、塵埃回収動作時の清掃ユニット７３の復路移動の際には、第１剥離ブラシ７２５及び第２剥離ブラシ７２６が清掃ユニット７３の移動方向に従う向きに傾斜しているため、第１ブラシ７３４が第１剥離ブラシ７２５に摺接しながら移動し、第２ブラシ７４２が第２剥離ブラシ７２６に摺接しながら移動しても、各ブラシ７３４，７４２，７２５，７２６間の塵埃の移動が生じない。この塵埃回収動作における清掃ユニット７３の往復移動が複数回行われることで、第１ブラシ７３４及び第２ブラシ７４２が保持している塵埃が剥離ブラシ７２５，７２６によって剥離されて受け取られ、剥離ブラシ７２５，７２６が受け取った塵埃が、剥離ブラシ７２５，７２６の下部へと移動していき、剥離ブラシ７２５，７２６から離れる。剥離ブラシ７２５，７２６から離れた塵埃は、自重により下方へと落下することで回収され、ダストボックス７２内に溜められる。これにより、第１ブラシ７３４及び第２ブラシ７４２が保持する塵埃を第１剥離ブラシ７２５及び第２剥離ブラシ７２６によって剥離させて回収する塵埃回収動作が終了する。
【０１０２】
また、塵埃回収動作時の清掃ユニット７３の往路移動の際には、第１ブラシ７３４の移動に伴って第１蓋部７２３が付勢部材の付勢力に逆らって押し下げられて回動することで第１蓋部７２３が開いていき、第２ブラシ７４２の移動に伴って第２蓋部７２４が付勢部材の付勢力に逆らって押し下げられて回動することで第２蓋部７２４が開いていく。これにより、図１９に示すように、第１蓋部７２３及び第２蓋部７２４が開状態となり、本体７２１の開口７２１ａが開放された状態になる。一方で、第１蓋部７２３及び第２蓋部７２４は付勢部材により本体７２１の開口７２１ａを閉じる閉状態となるように付勢されているため、塵埃回収動作時の清掃ユニット７３の復路移動の際には、第１ブラシ７３４の移動に伴って第１蓋部７２３が回動することで第１蓋部７２３が閉じていき、第２ブラシ７４２の移動に伴って第２蓋部７２４が回動することで第２蓋部７２４が閉じていく。これにより、図１８に示すように、第１蓋部７２３及び第２蓋部７２４が閉状態となり、本体７２１の開口７２１ａが塞がれた状態になる。したがって、塵埃回収動作において、第１剥離ブラシ７２５及び第２剥離ブラシ７２６から離れた塵埃は、塵埃回収動作時の清掃ユニット７３の往路移動時に、すなわち、本体７２１の開口７２１ａが開放された状態のときに、本体７２１の開口７２１ａを介して本体７２１の内部空間に溜められることになる。このようにして、ダストボックス７２内に塵埃が貯留される。
【０１０３】
ところで、第１蓋部７２３及び第２蓋部７２４は付勢部材により付勢されて本体７２１の開口７２１ａを閉じているため、塵埃回収動作時の清掃ユニット７３の復路移動時の速度が速いと、第１蓋部７２３及び第２蓋部７２４が勢いよく本体７２１の開口７２１ａを閉じる方向へと回動してしまう。そうすると、付勢部材により生じる音が大きくなってしまうことがある。このような場合、塵埃回収動作時の清掃ユニット７３の復路移動の際には常に大きな音が発生するため、ユーザに故障音等と認識されてしまうおそれがある。したがって、塵埃回収動作時の清掃ユニット７３の往復移動（特に、復路移動）については、付勢部材による音が発生しないような速度（例えば、秒速１ｍｍ程度）で移動することが好ましい。なお、清掃機構７０の塵埃回収動作時の移動速度が清掃機構７０の往路移動動作時及び復路移動動作時の移動速度よりも遅くなるように設計されていてもよい。
【０１０４】
（５−３）復路移動動作
塵埃回収動作の終了後、保持枠２５０の前側端部２５０ａに位置する清掃ユニット７３が往路移動動作時とは反対方向に移動する復路移動動作（矢印Ｙ方向への移動動作）が行われる。このとき、清掃ユニット７３は離反状態を採っているため、第１ブラシ７３４はフィルタ２５の下流側面２５ｆ１に接触しているが、第２ブラシ７４２はフィルタ２５の上流側面２５ｆ２には接触していない。このため、復路移動動作の際にも、フィルタ２５の下流側面２５ｆ１から上流側面２５ｆ２へと塵埃が押し出される。一方で、フィルタ２５の上流側面２５ｆ２には第２ブラシ７４２が接触していないので、ダストボックス７２に捨てきれなかった塵埃が第２ブラシ７４２に残っていたとしても、フィルタ２５の上流側面２５ｆ２への塵埃の付着を防止することができる。
【０１０５】
清掃ユニット７３がフィルタ２５の後側端部２５ｂ近傍まで移動すると、接触用ガイド部１９６の接触面１９７に沿って第２部材７４１が下方に押し下げられることで、第２締結部７４７の第２突起部７４６が第１締結部７３５の第１突起部７３６の傾斜面７３６ｂに沿って移動し、第２突起部７４６が第１突起部７３６を乗り越える。これにより、第１突起部７３６と第２突起部７４６及び繋ぎ部７４５との係合が解除され、第１部材７３１に対する第２部材７４１の位置が近接状態で固定される。離反状態から近接状態に切り替わった清掃ユニット７３は、復路の終点であって往路の始点である初期位置まで移動する。これにより、清掃運転が終了する。なお、上記動作は、リモコン（図示せず）を使って強制的に実行することもできる。
【０１０６】
（６）特徴
（６−１）
ここで、ケーシングに対して着脱可能なフィルタを備える空調室内機において、フィルタがケーシング内の所定位置からずれて装着されてしまうことで隙間が発生することがある。このような状態でフィルタの清掃運転が行われると、フィルタの振動等により該隙間から塵埃が室内熱交換器へと落下してしまうという問題がある。
【０１０７】
本実施形態では、フィルタ２５の装着時にフィルタ２５を所定位置へと導くガイド部材１４があることで、フィルタ２５がケーシング１１の所定位置からずれて配置されるおそれを低減することができる。また、本実施形態では、ガイド部材１４の主部１４２の上面と所定位置に配置されたフィルタ２５の後側端部２５ｂの上面２５ｏｆとの段差１４５が、第２ブラシ７４２の毛７４２ｃの高さｈよりも小さくなるように各部品１４，２５，７４２が構成されている。このため、第２ブラシ７４２がフィルタ２５の後側端部２５ｂ周辺をスムーズに移動しやすくなっている。したがって、第２ブラシ７４２がフィルタ２５の後側端部２５ｂ周辺を通過する際にフィルタ２５の振動等によりフィルタ２５や第２ブラシ７４２から室内熱交換器１３へと塵埃が落下するおそれを低減することができる。
【０１０８】
これによって、ケーシング１１に対して着脱可能なフィルタ２５の表面に付着した塵埃を除去する清掃機構７０を備えていても、室内熱交換器１３へと塵埃が落下するおそれを低減することができている。
【０１０９】
（６−２）
本実施形態のガイド部材１４は、平板状の部品であって、変曲部１４３を中心として屈曲した構成になっている。このため、ガイド部材１４を簡易な構成とすることができている。
【０１１０】
（６−３）
本実施形態では、ガイド部材１４のガイド部１４１の上面のうちの所定位置に配置されたフィルタ２５の後側端部２５ｂと平面視において重なっている面１４１ｏｆ１が、変曲部１４３の上面１４３ｏｆを仮想的にフィルタ２５側に向かって延ばした仮想延長面ｐｆよりも下方に位置している。このように、本実施形態のガイド部材１４は、フィルタ２５の後側端部２５ｂがガイド部材１４の上面へと乗り上げやすい構造になっている。したがって、フィルタ２５がケーシング１１の所定位置からずれて配置されるおそれを低減することができている。
【０１１１】
（６−４）
本実施形態では、清掃機構７０による塵埃除去動作の開始時に、清掃ユニット７３の第２ブラシ７４２がガイド部材１４の主部１４２側から段差１４５を通過する。すなわち、本実施形態では、塵埃除去動作の開始時には、フィルタ２５から離れた位置より第２ブラシ７４２の移動が開始されるため、フィルタ２５全体から塵埃を除去することができている。
【０１１２】
（６−５）
本実施形態では、清掃ユニット７３がフィルタ２５側からガイド部材１４の主部１４２側へと移動する際に、第２ブラシ７４２がフィルタ２５の表面に近づくように第２ブラシ７４２を移動させて近接状態を採らせるための接触用ガイド部１９６がフィルタ２５の後側端部２５ｂ近傍にある。すなわち、塵埃除去動作の開始時には、フィルタ２５から離れた位置から近接状態にある第２ブラシ７４２が主部１４２側から段差１４５を通過してフィルタ２５へと移動するため、フィルタ２５の後側端部２５ｂから塵埃を除去することができている。
【０１１３】
（６−６）
本実施形態では、ダストボックス７２は移動しない構成であるため、可動部品である清掃ユニット７３のサイズを小さくすることで、清掃ユニット７３のケーシング１１内における移動スペースの増加を抑制することができる。また、本実施形態では、ダストボックス７２が、可動部品である清掃ユニット７３とは別に設けられている。このため、可動部品である清掃ユニットと塵埃貯留部としてのダストボックスとが一体となっている構成であるよりも、清掃ユニット７３をコンパクトな構成にすることができる。
【０１１４】
これにより、空調室内機１００の大型化を抑制することができ、かつ、寸法制約のある空調室内機１００の設計自由度を向上させることができている。
【０１１５】
（７）変形例
（７−１）変形例Ａ
上記実施形態では、フィルタ２５の空気流れ上流側にフィルタ２５に付着した塵埃を除去するための傾斜ブラシが設けられており、フィルタ２５の空気流れ下流側にフィルタ２５に付着した塵埃を除去するための直毛ブラシが設けられている。
【０１１６】
しかしながら、本発明はこれに限定されず、フィルタ２５の表面から塵埃を除去するブラシの毛の長さが、ガイド部材の主部の上面とフィルタの後側端部の上面との段差よりも大きくなるように構成されていればよい。よって、例えば、フィルタ２５の空気流れ下流側には直毛ブラシが設けられておらず、フィルタ２５の空気流れ上流側にのみ傾斜ブラシ又は直毛ブラシが設けられていてもよい。また、上記実施形態の第１ブラシ７３４が傾斜ブラシであってもよく、上記実施形態の第２ブラシ７４２が直毛ブラシであってもよい。
【０１１７】
また、上記実施形態では、傾斜ブラシが保持する塵埃を該傾斜ブラシから剥離させるための剥離用傾斜ブラシと、直毛ブラシが保持する塵埃を該直毛ブラシから剥離させるための剥離用傾斜ブラシと、が設けられている。しかしながら、本発明はこれに限定されず、剥離用傾斜ブラシが設けられていなくてもよい。さらに、上記実施形態の第１剥離ブラシ７２５及び／又は第２剥離ブラシ７２６が直毛ブラシであってもよい。
【０１１８】
（７−２）変形例Ｂ
上記実施形態では、第１ブラシ７３４、第２ブラシ７４２、第１剥離ブラシ７２５及び第２剥離ブラシ７２６がそれぞれ平板状に形成されている。
【０１１９】
これに代えて、第１ブラシ７３４、第２ブラシ７４２、第１剥離ブラシ７２５及び第２剥離ブラシ７２６のうちの少なくともいずれか１つが湾曲した部分を有していてもよい。ただし、清掃機構７０の薄型化を考慮すれば、第１ブラシ７３４、第２ブラシ７４２、第１剥離ブラシ７２５及び第２剥離ブラシ７２６がそれぞれ平板状に形成されていることが好ましい。
【０１２０】
（７−３）変形例Ｃ
上記実施形態では、第２剥離ブラシ７２６が移動しない構成であるが、第２剥離ブラシ７２６が第２ブラシ７４２に対してスライド移動するように構成されていてもよい。
【０１２１】
（７−４）変形例Ｄ
上記実施形態では、往路移動動作時に、第２ブラシ７４２の毛７４２ｃとフィルタ２５の上流側面２５ｆ２とが接触しており、復路移動動作時に、第２ブラシ７４２の毛７４２ｃとフィルタ２５の上流側面２５ｆ２とが接触しないように構成されているが、往復移動動作の際の第２ブラシの毛とフィルタの表面との接触関係が逆の構成になっていてもよい。この場合、第２ブラシの毛の延びる方向がフィルタの表面に対して傾斜している場合には、第２ブラシに残留している塵埃がフィルタの表面に付着するおそれを防止するため、第２ブラシの毛の延びる方向が上記実施形態とは逆方向（すなわち、図９における、斜め後上方を向く方向）となっていることが好ましく、第１剥離ブラシ７２５及び第２剥離ブラシ７２６の毛の延びる方向が上記実施形態とは逆方向（すなわち、図１１における、斜め後下方を向く方向）となっていることが好ましい。
【０１２２】
（７−５）変形例Ｅ
図２０は、変形例Ｅに係るガイド部材１４’を示す図である。
【０１２３】
上記実施形態では、ガイド部材１４が１つの変曲部１４３を有しているが、本発明はこれに限定されるものではなく、ガイド部材が複数の変曲部を有していてもよい。例えば、図２０に示すように、ガイド部材１４’が２つの変曲部１４３ａ’，１４３ｂ’を有していてもよい。この場合、ガイド部１４１’から遠い側の変曲部１４３ｂ’の上面とフィルタ２５の後側端部２５ｂの上面との間の距離であって、清掃ユニット７３の移動方向に直交する方向に沿った距離が、段差１４５’とされる。
【０１２４】
また、フィルタ２５の後側端部２５ｂの上面２５ｏｆと変曲部１４３の上面１４３ｏｆとの距離が０となるように、すなわち、段差の生じないフラットな状態（面一の状態）となるように、ガイド部材１４が設計されていてもよい。
【０１２５】
（７−６）変形例Ｆ
上記実施形態では、清掃ユニット７３が接触動作及び離反動作を行うが、これに限定されず、接触動作や離反動作が行われなくてもよい。すなわち、清掃ユニット７３が常に近接状態を採っていてもよい。このような構成にすることで、第１ブラシ７３４及び第２ブラシ７４２が常にフィルタ２５の表面に接触した状態となり、第２ブラシ７４２は、往路移動時だけでなく、復路移動時についてもフィルタ２５の表面から塵埃を除去することができる。さらに、このような構成にすることで、第１部材７３１及び第２部材７４１を簡易な構成にすることができると共に、接触用ガイド部１９６や離反用ガイド部２５３を設ける必要がなく、製造コストを削減することができる。
【０１２６】
また、上記実施形態では、離反動作及び接触動作により第２ブラシ７４２のフィルタ２５の表面からの距離のみが変化しているが、第２ブラシ７４２ではなく第１ブラシ７３４のフィルタ２５の表面からの距離のみが変化してもよく、両ブラシ７３４，７４２のフィルタ２５の表面からの距離が変化するように構成されていてもよい。
【０１２７】
（７−７）変形例Ｇ
上記実施形態では、空調室内機１００の運転停止時や通常運転（暖房運転や冷房運転）時には、清掃ユニット７３がフィルタ２５の後側端部２５ｂよりも背面側のガイド部材１４の主部１４２に位置しており、ここが清掃運転開始時の初期位置となっている。このため、清掃機構７０による清掃運転の開始とほぼ同時にフィルタ２５の塵埃除去動作が開始されている。
【０１２８】
しかしながら、空調室内機１００の運転停止時や通常運転時の清掃ユニット７３の位置はこれに限定されず、例えば、室内熱交換器１３の頂点１３ｄ近傍の上方や保持枠２５０の前側端部２５０ａに位置していてもよい。このような場合には、清掃運転が開始されると、一旦、清掃ユニット７３を初期位置まで移動させ、その後、往路移動動作すなわち塵埃除去動作が開始されることになる。
【０１２９】
（７−８）変形例Ｈ
上記実施形態では、可動部品である清掃ユニット７３と非可動部品であるダストボックス７２とが別部品として設けられているが、清掃ユニットとダストボックスとが一体の可動部品として設けられていてもよい。
【０１３０】
また、上記実施形態では、ダストボックス７２が蓋７２２を有しているが、本発明はこれに限定されず、ダストボックス７２が蓋を有していなくてもよい。蓋が設けられていないことで、ダストボックス７２をより簡易な構成とすることができる。
【産業上の利用可能性】
【０１３１】
本発明によれば、ケーシングに対して着脱可能なフィルタの表面に付着した塵埃を除去する清掃機構を備えていても熱交換器への塵埃の落下を抑制することができる。
【符号の説明】
【０１３２】
１１      ケーシング
１３      室内熱交換器
１４      ガイド部材
２１      天面吸込口（吸込口）
２５      フィルタ
２５ｂ    後側端部（端部）
７０      清掃機構
７２      ダストボックス（塵埃貯留部）
７３      清掃ユニット（ユニット）
１００      空調室内機
１４１      ガイド部
１４２      主部
１４３      変曲部
１４５      段差
１９６      接触用ガイド部
７２５      第１剥離ブラシ（塵埃回収ブラシ）
７２６      第２剥離ブラシ（塵埃回収ブラシ）
７３４      第１ブラシ（ブラシ）
７４２      第２ブラシ（ブラシ）
【先行技術文献】
【特許文献】
【０１３３】
【特許文献１】特開２００８−７５９０７号公報
【図１】
2016118361.tif 000003
【図２】
2016118361.tif 000004
【図３】
2016118361.tif 000005
【図４】
2016118361.tif 000006
【図５】
2016118361.tif 000007
【図６】
2016118361.tif 000008
【図７】
2016118361.tif 000009
【図８】
2016118361.tif 000010
【図９】
2016118361.tif 000011
【図１０】
2016118361.tif 000012
【図１１】
2016118361.tif 000013
【図１２】
2016118361.tif 000014
【図１３】
2016118361.tif 000015
【図１４】
2016118361.tif 000016
【図１５】
2016118361.tif 000017
【図１６】
2016118361.tif 000018
【図１７】
2016118361.tif 000019
【図１８】
2016118361.tif 000020
【図１９】
2016118361.tif 000021
【図２０】
2016118361.tif 000022